(57)【特許請求の範囲】
【請求項１】
第１キャビネットと第２キャビネットとを互いにスライド可能に連結して構成された機器本体を具え、第１キャビネットの表面に操作部が設置されると共に、第２キャビネットの表面に表示部が設置され、前記機器本体は、両キャビネットが閉じて前記第１キャビネットの操作部の少なくとも一部が第２キャビネットによって被覆された閉じ状態と、両キャビネットが開いて前記第１キャビネットの操作部の全体が露出した開き状態との間で状態を変更させることが可能である一方、前記第１キャビネットの表面には、前記機器本体が前記閉じ状態と開き状態の何れの状態に設定されている場合においても第２キャビネットによって被覆されることとなる被覆領域が設けられており、前記第１キャビネットの表面には更に、前記操作部の設置領域とは異なる領域に、第１キャビネットをその表面から内面へ貫通する貫通孔が開設され、第１キャビネットの内面側には、マイクロフォンが、その集音面を前記貫通孔に向けた姿勢で配備されており、
前記第１キャビネットと第２キャビネットとの間には隙間が形成されており、前記貫通孔は、前記第１キャビネットの表面の前記被覆領域に形成されることにより、前記機器本体が前記閉じ状態と開き状態の何れの状態に設定されている場合においても、第２キャビネットの裏面によって覆われた状態で、前記隙間を介して前記機器本体の外部に通じていることを特徴とするスライド式携帯電子機器。
【請求項２】
前記貫通孔は、防水性と通気性を有する防水シートによって覆われている請求項１に記載のスライド式携帯電子機器。
【発明の詳細な説明】
【技術分野】
【０００１】
本発明は、スライド式携帯電話機等、マイクロフォンを具えたスライド式携帯電子機器に関する。
【背景技術】
【０００２】
スライド式携帯電話機は、第１キャビネットと第２キャビネットとを互いにスライド可能に連結して構成された機器本体を具え、第１キャビネットの表面には、複数の操作キーによって構成された操作部が設置され、第２キャビネットの表面には、液晶表示パネルによって構成された表示部が設置されている（例えば、特許文献１参照）。機器本体は、第１キャビネットと第２キャビネットをスライド方向に相対移動させることにより、両キャビネットが閉じて操作部の少なくとも一部が第２キャビネットによって被覆された閉じ状態と、両キャビネットが開いて操作部の全体が露出した開き状態との間で状態を変更させることが可能である。一方、第１キャビネットの表面には、機器本体が閉じ状態と開き状態の何れの状態に設定されている場合においても第２キャビネットによって被覆されることとなる被覆領域が設けられている。
【０００３】
第１キャビネットの表面には更に、機器本体が開き状態に設定されているときに露出することとなる領域であって、且つ操作部の設置領域とは異なる領域に、第１キャビネットをその表面から内面へ貫通する集音孔が開設されている。そして、第１キャビネットの内面側には、マイクロフォンが、その集音面を集音孔に向けた姿勢で配備されている。
【先行技術文献】
【特許文献】
【０００４】
【特許文献１】特開２００９−７１３６４号公報
【発明の概要】
【発明が解決しようとする課題】
【０００５】
ところで、近年、スライド式携帯電話機を小型化することが望まれている。しかしながら、従来のスライド式携帯電話機を小型化すると、これに伴って操作部及び／又は表示部の設置領域が縮小されることになる。特に、第１キャビネットの表面の内、機器本体が開き状態に設定されたときに露出することとなる領域においては、該領域に集音孔が形成されているため、操作部の設置領域の縮小が顕著である。従って、操作部を構成する操作キーのサイズが小さくなり、その結果、スライド式携帯電話機の操作性が低下することになる。
【０００６】
そこで本発明の目的は、マイクロフォンを具えたスライド式携帯電子機器において、操作部及び／又は表示部の設置領域を殆ど縮小させることなく、該スライド式携帯電子機器の小型化を可能にすることである。
【課題を解決するための手段】
【０００７】
本発明に係るスライド式携帯電子機器は、第１キャビネットと第２キャビネットとを互いにスライド可能に連結して構成された機器本体を具え、各キャビネットの表面には操作部及び／又は表示部が設置され、前記機器本体は、両キャビネットが閉じて前記第１キャビネット側の操作部及び／又は表示部の少なくとも一部が第２キャビネットによって被覆された閉じ状態と、両キャビネットが開いて前記第１キャビネット側の操作部及び／又は表示部の全体が露出した開き状態との間で状態を変更させることが可能である一方、前記第１キャビネットの表面には、前記機器本体が前記閉じ状態と開き状態の何れの状態に設定されている場合においても第２キャビネットによって被覆されることとなる被覆領域が設けられており、前記第１キャビネットの表面には更に、操作部及び／又は表示部の設置領域とは異なる領域に、第１キャビネットをその表面から内面へ貫通する貫通孔が開設され、第１キャビネットの内面側には、マイクロフォンが、その集音面を前記貫通孔に向けた姿勢で配備されている。ここで、前記第１キャビネットと第２キャビネットとの間には隙間が形成されており、前記貫通孔は、前記第１キャビネットの表面の前記被覆領域に形成されることにより、前記隙間を介して前記機器本体の外部に通じている。
【０００８】
上記スライド式携帯電子機器においては、機器本体が閉じ状態と開き状態の何れの状態に設定されている場合においても、機器本体の外部の音は、第１キャビネットと第２キャビネットとの間の隙間を通って機器本体の内部に入り込み、その後、貫通孔を通ってマイクロフォンの集音面に到達することになる。即ち、貫通孔は集音孔として機能することになる。従って、上記スライド式携帯電子機器は、機器本体の外部の音を、マイクロフォンによって鮮明に捉えることが出来る。
【０００９】
又、上記スライド式携帯電子機器においては、機器本体が開き状態に設定されているときであっても被覆領域は露出することがなく、該被覆領域に、集音孔として機能する貫通孔が形成されている。従って、第１キャビネットの表面の内、機器本体が開き状態に設定されているときに露出することとなる領域の全体を、操作部及び／又は表示部の設置領域として使用することが出来る。よって、操作部及び／又は表示部の設置領域を殆ど縮小させることなく、スライド式携帯電子機器を小型化することが出来る。従って、スライド式携帯電子機器を小型化した場合でも、該スライド式携帯電子機器の操作性が低下し難い。
【００１０】
上記スライド式携帯電子機器の具体的構成において、前記第１キャビネットと第２キャビネットとの間には、これらをスライド可能に連結するスライド機構が設けられ、該スライド機構は、スライド体と、スライド規定部とから構成されている。ここで、スライド体は、前記第１キャビネットと第２キャビネットとの対向面の内、一方の対向面に固定されている。スライド規定部は、前記第１キャビネットと第２キャビネットとの対向面の内、他方の対向面に固定されて、前記スライド体のスライド方向と、前記他方の対向面からのスライド体の高さ位置とを規定している。具体的には、スライド規定部は、前記スライド体の高さ位置を、前記第１キャビネットと第２キャビネットとの間に隙間が形成されることとなる位置に規定している。
【発明の効果】
【００１１】
本発明に係るスライド式携帯電子機器によれば、操作部及び／又は表示部の設置領域を殆ど縮小させることなく、該スライド式携帯電子機器を小型化することが出来る。
【図面の簡単な説明】
【００１２】
【図１】図１は、本発明の一実施形態に係るスライド式携帯電話機を示す正面図である。
【図２】図２は、該スライド式携帯電話機の分解斜視図である。
【図３】図３は、該スライド式携帯電話機が具えるスライド機構を示す平面図である。
【図４】図４は、図３に示されるＢ−Ｂ線に沿う断面図である。
【図５】図５は、上記スライド式携帯電話機の機器本体について、その閉じ状態の説明に用いられる正面図である。
【図６】図６は、図１に示されるＡ−Ａ線に沿う断面図である。
【図７】図７は、図６に示されるＣ領域の拡大図である。
【発明を実施するための形態】
【００１３】
以下、本発明をスライド式携帯電話機に実施した形態につき、図面に沿って具体的に説明する。
図１は、本発明の一実施形態に係るスライド式携帯電話機を示す正面図である。図１に示す様に、スライド式携帯電話機は、第１キャビネット(１)と第２キャビネット(２)とを互いにスライド可能に連結して構成された機器本体(10)を具えている。第１キャビネット(１)の表面(101)には、複数の操作キー(180)〜(180)によって構成された第１操作部(18)が設置されている。第２キャビネット(２)の表面(201)には、液晶表示パネル(27)によって構成された表示部が設置されると共に、該液晶表示パネル(27)の設置領域とは異なる領域に、レバースイッチ(４)と複数の操作キー(280)〜(280)とから構成された第２操作部(28)が設置されている。
【００１４】
図２は、スライド式携帯電話機の分解斜視図である。図２に示す様に、第１キャビネット(１)と第２キャビネット(２)との間には、これらをスライド可能に連結するスライド機構(３)が設けられ、該スライド機構(３)は、スライド体(31)とスライド規定部(32)とから構成されている。スライド体(31)は、第１キャビネット(１)と第２キャビネット(２)との対向面の内、第２キャビネット(２)側の対向面（即ち、第２キャビネット(２)の背面(202)）に固定される。一方、スライド規定部(32)は、第１キャビネット(１)と第２キャビネット(２)との対向面の内、第１キャビネット(１)側の対向面（即ち、第１キャビネット(１)の表面(101)）、具体的には第１操作部(18)の設置領域とは異なる領域に固定される。
【００１５】
図３は、スライド機構(３)を示す平面図である。図４は、図３に示されるＢ−Ｂ線に沿う断面図である。図４に示す様に、スライド規定部(32)に、その両端位置に左右一対のガイド溝(320)(320)が形成され、該一対のガイド溝(320)(320)には、スライド体(31)の左右の縁部(310)(310)が摺動自在に係合している。斯くして、スライド規定部(32)は、スライド体(31)のスライド方向を第１キャビネット(１)の長手方向(91)（図１参照）に規定している。
【００１６】
よって、上記スライド式携帯電話機の機器本体(10)は、第１キャビネット(１)と第２キャビネット(２)をスライド方向に相対移動させることにより、図５に示す如く両キャビネット(１)(２)が閉じて第１操作部(18)の全体が第２キャビネット(２)によって被覆された閉じ状態と、図１に示す如く両キャビネット(１)(２)が開いて第１操作部(18)の全体が露出した開き状態との間で状態を変更させることが可能である。又、第１キャビネット(１)の表面(101)には、図６に示す様に、機器本体(10)が閉じ状態と開き状態の何れの状態に設定されている場合においても第２キャビネット(２)によって被覆されることとなる被覆領域Ｒが設けられることになる。
【００１７】
上記スライド式携帯電話機のユーザは、図１に示す如く機器本体(10)が開き状態に設定されている場合、第１操作部(18)と第２操作部(28)とを用いてスライド式携帯電話機を操作することが可能である。又、図５に示す如く機器本体(10)が閉じ状態に設定されている場合であっても、ユーザは、第２操作部(28)を用いてスライド式携帯電話機を操作することが可能である。
【００１８】
上記スライド機構(３)において、スライド規定部(32)は更に、図４に示す様に第１キャビネット(１)の表面(101)からのスライド体(31)の高さ位置を規定している。具体的には、スライド規定部(32)は、スライド体(31)の高さ位置を、第１キャビネット(１）と第２キャビネット(２)との間に隙間Ｇが形成されることとなる位置に規定している。従って、図４及び図７に示す様に、スライド式携帯電話機の組み立て状態において、第１キャビネット(１）と第２キャビネット(２)との間には隙間Ｇが形成されることになる。本実施形態においては、隙間Ｇの幅寸法は０．４ｍｍ程度である。
【００１９】
図２に示す様に、第１キャビネット(１)は、該第１キャビネット(１)の表面(101)を形成する表面側ケース半体(11)と、該第１キャビネット(１)の背面(102)を形成する背面側ケース半体(12)とを互いに接合して構成されている。第１キャビネット(１)の内部には、回路基板(５)が設置されている。ここで、回路基板(５)は、第１キャビネット(１)の表面(101)に沿って広範囲に拡がった形状を有している。従って、回路基板(５)には、第１キャビネット(１)の表面(101)の内、少なくとも第１操作部(18)の設置領域と被覆領域Ｒ（図６参照）とが重なることになる。
【００２０】
図２に示す様に、第１キャビネット(１)には更に、回路基板(５)の表面の内、被覆領域Ｒが重なることとなる領域を覆う金属板(13)と、表面側ケース半体(11)と背面側ケース半体(12)との接合面間に介在することとなるシール部材(14)とが配備されている。ここで、シール部材(14)には、その一部が接合面間の領域から機器本体(10)の内側へ拡がることにより、回路基板(５)の表面の内、金属板(13)によって覆われない領域の全体を覆う被覆部(141)が形成されている。そして、金属板(13)とシール部材(14)とは、これらの間に隙間を設けることなく一体に形成されている。
【００２１】
第１キャビネット(１)の表面(101)の被覆領域Ｒには、該第１キャビネット(１)をその表面(101)から内面へ貫通する第１貫通孔(15)が開設されている。又、金属板(13)には、第１貫通孔(15)と対向する領域に、該金属板(13)をその表面から背面へ貫通する第２貫通孔(131)が開設されている。ここで、スライド式携帯電話機の組み立て状態において、第１キャビネット(１）と第２キャビネット(２)との間には隙間Ｇが形成されることになる。従って、機器本体(10)が閉じ状態と開き状態の何れの状態に設定されている場合においても、第１貫通孔(15)及び第２貫通孔(131)は、隙間Ｇを介して機器本体(10)の外部に通じることになる。
【００２２】
一方、図７に示す様に（図２も参照）、金属板(13)の表面には、第２貫通孔(131)を覆って防水シート(60)が密着固定されている。具体的には、防水シート(60)は、接着テープ(61)によって金属板(13)の表面に密着固定されている。ここで、防水シート(60)は、防水性と通気性とを有している。従って、防水シート(60)は、水の通過を阻止する一方、音の通過を殆ど妨げることがない。尚、防水シート(60)には、例えばゴアテックス社製のゴアテックスシートを用いることが出来る。勿論、防水シート(60)には、防水性と通気性とを有する様々なシートを採用することが出来る。
【００２３】
上記第１キャビネット(１)の構成によれば、表面側ケース半体(11)と背面側ケース半体(12)との接合面間からの水の浸入が、シール部材(14)によって防止されることになる。又、第１貫通孔(15)から第１キャビネット(１)内に水が浸入した場合でも、該水が第２貫通孔(131)を通過して回路基板(５)に到達することが、防水シート(60)によって防止されることになる。更に、第１キャビネット(１)の表面(101)側から第１キャビネット(１)内に水が浸入した場合でも、該水が回路基板(５)に到達することが、一体に形成されている金属板(13)とシール部材(14)とによって防止されることになる。斯くして、第１キャビネット(１)には防水構造が設けられている。
【００２４】
図７に示す様に（図２も参照）、回路基板(５)の表面には、マイクロフォン(６)が、その集音面を第２貫通孔(131)に向けた姿勢で配備されている。ここで、第１貫通孔(15)及び第２貫通孔(131)は、第１キャビネット(１)と第２キャビネット(２)との間の隙間Ｇを介して機器本体(10)の外部に通じている。従って、機器本体(10)の外部の音は、第１キャビネット(１)と第２キャビネット(２)との間の隙間Ｇを通って機器本体(10)の内部に入り込み、その後、第１貫通孔(15)と第２貫通孔(131)とを通ってマイクロフォン(６)の集音面に到達することになる。即ち、第１貫通孔(15)と第２貫通孔(131)は集音孔として機能することになる。よって、上記スライド式携帯電話機は、機器本体(10)の外部の音を、マイクロフォン(６)によって鮮明に捉えることが出来る。
【００２５】
上記スライド式携帯電話機においては、機器本体(10)が開き状態に設定されているときであっても被覆領域Ｒは露出することがなく、該被覆領域Ｒに、集音孔として機能する第１貫通孔(15)が形成されている。従って、図１に示す様に、第１キャビネット(１)の表面(101)の内、機器本体(10)が開き状態に設定されているときに露出することとなる領域の全体を、第１操作部(18)の設置領域として使用することが出来る。よって、従来のスライド式携帯電話機に比べて、第１操作部(18)の設置領域を殆ど縮小させることなく、スライド式携帯電話機を小型化することが出来る。従って、スライド式携帯電話機を小型化した場合でも、該スライド式携帯電話機の操作性が低下し難い。
【００２６】
又、上記スライド式携帯電話機において、第１操作部(18)の設置領域を拡げて、該第１操作部(18)を構成する各操作キー(180)のサイズを大きくしてもよい。この構成によれば、スライド式携帯電話機の操作性が向上することになる。
【００２７】
尚、本発明の各部構成は上記実施の形態に限らず、特許請求の範囲に記載の技術的範囲内で種々の変形が可能である。上記スライド式携帯電話機において、第１キャビネット(１)の表面(101)には、第１操作部(18)の他に、或いは第１操作部(18)に替えて、液晶表示パネルが設置されていてもよい。又、第２キャビネット(２)の表面(201)には、液晶表示パネル(27)のみが設置されていてもよい。更に、第１キャビネット(１)の表面(101)及び／又は第２キャビネット(２)の表面(201)には、タッチパネル式の液晶表示パネルを設置してもよい。更に又、液晶表示パネルに替えて、有機ＥＬ（Electroluminescence）表示パネル、ＬＥＤ（Light  Emitting  Diode）表示パネル等、種々の画像表示パネルを用いて表示部を構成してもよい。
【００２８】
上記スライド式携帯電話機において、機器本体(10)が閉じ状態に設定されている場合、第１操作部(18)の全体ではなく、その一部が、第２キャビネット(２)によって被覆されてもよい。又、スライド機構(３)のスライド体(31)が第１キャビネット(１)の表面(101)に固定され、スライド機構(３)のスライド規定部(32)が第２キャビネット(２)の背面(202)に固定されていてもよい。
【００２９】
上記スライド式携帯電話機に採用した各種構成は、ＰＤＡ（Personal  Digital  Assistant）等、種々のスライド式携帯電子機器に適用することが出来る。
【符号の説明】
【００３０】
(10)  機器本体
(１)  第１キャビネット
(101) 表面（対向面）
(13)  金属板
(131) 第２貫通孔
(14)  シール部材
(15)  第１貫通孔
(18)  第１操作部
(180) 操作キー
(２)  第２キャビネット
(201) 表面
(202) 背面（対向面）
(27)  液晶表示パネル（表示部）
(３)  スライド機構
(31)  スライド体
(32)  スライド規定部
(６)  マイクロフォン
(60)  防水シート
Ｇ  隙間
Ｒ  被覆領域
【図１】
0005496726.tif 000002
【図２】
0005496726.tif 000003
【図３】
0005496726.tif 000004
【図４】
0005496726.tif 000005
【図５】
0005496726.tif 000006
【図６】
0005496726.tif 000007
【図７】
0005496726.tif 000008